(57)【特許請求の範囲】
【請求項１】
天板との間に支杆頂部が摺動する通過路を有するレールを断面コ字状に形成し、前記通過路の両端に前記支杆頂部の第１および第２係止部を形成し、前記レールの外向端近傍に断面コ字状のレバーを外嵌するとともに回動自在に取付け、しかも前記レバーを常時は閉方向に付勢し、前記レバーの両側板の各内向端から前記支杆頂部により排除される斜縁を凸弧状に形成し、前記凸弧部に連続するとともに前記第１の係止部に対応する位置に前記支杆頂部の嵌入溝を凹設し、前記レバーの下面板の外端を延出して押え片を形成することを特徴とする折りたたみ脚付き家具用ロック装置。
【請求項２】
レバーがレールに回動軸を介して回動自在に軸着され、前記回動軸に第１のコイルバネを巻装するとともに前記第１のコイルバネにより前記レバーが常時は閉方向に付勢されていることを特徴とする請求項１の折りたたみ脚付き家具用ロック装置。
【請求項３】
レールの両側板で、かつ内向端近傍に掛止軸が取付けられ、前記掛止軸に第２のコイルバネを巻装するとともに前記第２のコイルバネの一端を第２係止部の位置より延出するとともに山形に折り曲げることを特徴とする請求項１の折りたたみ脚付き家具用ロック装置。
【請求項４】
レールの両側板がレール下面板から直角に折り曲げられ、しかも前記両側板の両端を各々外向に折り曲げてネジ挿通孔を有する取付片が設けられたことを特徴とする請求項１の折りたたみ脚付き家具用ロック装置。
【請求項５】
レールの両端に第１および第２の防御片を設けたことを特徴とする請求項１の折りたたみ脚付き家具用ロック装置。
【請求項６】
第１の防御片が両側板から内向に折り曲げられ、第２の防御片が下面板から上向きに折り曲げられて形成されたことを特徴とする請求項５の折りたたみ脚付き家具用ロック装置。
【発明の詳細な説明】
【技術分野】
【０００１】
本発明は幼稚園、保育所、小学校等の子供用施設で用いられるテーブル等、特に天板を有する家具における折りたたみ可能な脚のロック装置に関する。
【背景技術】
【０００２】
従来から実公昭６１−３２５０７号実用新案公報で示されている家具用折りたたみ脚のロック装置が知られている。これは本願出願人のもので、製造および販売に及んだものである。
【０００３】
この従来品は図７、８で示すように天板ａ裏面の端部に１対のコ字状脚１１ａを回動自在に取付け、ハンガー状の支杆２０ａの各先端をコ字状脚１１ａの中途に回動自在に取付け、前記コ字状脚１１ａの伏倒時には前記支杆の頂部２ａを細長板４ａの端に形成した第２の受部５ａ´で係止し、前記コ字状脚１１ａの起立時にはコ字状脚１１ａを天板１ａの外端方向に回動する。
【０００４】
このため支杆２０ａの頂部２ａは前記細長板４ａ内で、しかも天板１ａに接して天板１ａ端方向に摺動し、第１の受部５ａに係止される。この第１の受部の直前には後述するように厚板状の１板の金属片から成るハンドル付きレバー６ａが細長板４ａ内に位置し、このレバー６ａの付勢力で支杆２０ａの頂部２ａをロックし、コ字状脚１１ａの起立状態を維持する。
【０００５】
具体的には厚板状（具体例、５mm）の１板の金属板片からなるレバー６ａの一端に凸弧状の排除斜縁６１ａおよびこれに連なる凸弧状の係止斜縁６１ｂとを有する山形状の係止片ａを形成し、係止片ａの後方にハンドル６ａを一体的に形成し、しかもハンドル６ａの端部を係止片ａと同方向に膨出し、さらに水平軸ｂに係止片ａの前方を回動自在に設け、コイルバネにより係止片ａを常時は通過路内３ａの上方まで突出し、しかもコイルバネにより各コ字状脚１１ａの起立時には係止斜縁６１ｂを介して支杆２０ａの頂部２ａを第１受部５ａ側に押し付けるとともにレバー６ａの膨出端部ｃを天板１ａに押圧し、ハンドル６ａの引下げ時には係止片ａ全体を通過路３ａから没するように形成する。
【０００６】
前述の説明からわかるようにこの従来例はコ字状脚１１ａを伏倒する場合、図７の矢印で示すように片手でハンドル６ａを引き下げ方向に回動するとともに他方の手でコ字状脚を天板の内方に向けて回動する。つまりハンドル６ａを時計方向に回動しつつ、他方の手でコ字状脚１１ａも時計方向に回動させる必要があり、いずれの位置のロック装置もハンドル６ａとコ字状脚１１ａとを同方向に回動させる必要がある。
【０００７】
ちなみに伏倒状態のコ字状脚１１ａを起立させるにはコ字状脚１１ａを天板１ａの外端方向に回動させるだけでよく、摺動してきた支杆２０ａの頂部２ａがレバーの排除斜縁６１ａをバネ圧に抗して通過し、第１受部５ａに係止され、前記支杆頂部２ａの通過後にバネの復元力によりレバー６ａが細長板４ａの通過路３ａ内に復位し、支杆２０ａおよびコ字状脚１１ａの起立状態を維持する。
【０００８】
【特許文献１】実公昭６１−３２５０７号公報
【発明の開示】
【発明が解決しようとする課題】
【０００９】
第１に従来のように起立状態のコ字状脚１１ａを伏倒させる場合、ロック装置のハンドルレバー６ａとコ字状脚１１ａとを同方向に回動するのは作業しずらい。このことは上記従来品と、ハンドルと天板を支持する脚（具体的にはコ字状脚）とが逆方向に回動する本願の試作品とを、守秘義務を課した若い女性（幼稚園等、子供用施設では若い女性が多いことを考慮したものである）３０人に操作させたところ、全員から後者の方が作業しやすいとの回答を得たことから明きらかである。
【００１０】
第２に従来例の厚板状の鉄板からなるハンドルレバーを形成するには通常のプレス加工により抜くことが、時間的かつ経済的に効率がよい。脚の起立状態を維持するには具体的にハンドルレバーの肉厚は最低５mmが必要であり、これは通常のプレスにより１ケ当たり３０秒で抜くことができる。
【００１１】
しかし、図６（ａ）で示すように肉厚５mmの場合は周縁が水平に形成されず、距離Ｌ１、具体的には０.３mm差が出てしまい、いわゆる点接触となり、折りたたみ頻度の高い（例えば毎日、２〜３回折りたたみ作業をする保育園）施設では約２〜３年でレバー６ａと支杆頂部２ａともに摩耗し、コ字状脚１１ａの起立時には障害がないものの支杆２０ａの摺動時にガタを生ずる。
【００１２】
なお、レーザ加工により形成すれば前記周縁を水平にすることが可能であるが１ケ当たり２分かかり、しかもプレスとは比較にならない程、高価につく。
【００１３】
第３に従来例のコ字状脚１１ａ起立時にはレバー６ａと支杆頂部２ａとが１ケ所で係止され、経年使用による耐久性の点で問題があると推測される。
【００１４】
本発明は前記の欠点を解消し、しかも製造しやすく、指を挾むような危険性のないようにすることを課題とする。
【課題を解決するための手段】
【００１５】
第１に本発明は天板との間に支杆頂部が摺動する通過路を有するレールを断面コ字状に形成し、前記通過路の両端に前記支杆頂部の第１および第２係止部を形成し、前記レールの外向端近傍に断面コ字状のレバーを外嵌するとともに回動自在に取付け、しかも前記レバーを常時は閉方向に付勢し、前記レバーの両側板の各内向端から前記支杆頂部により排除される斜縁を凸弧状に形成し、前記凸弧部に連続するとともに前記第１の係止部に対応する位置に前記支杆頂部の嵌入溝を凹設し、前記レバーの下面板の外端を延出して押え片を形成することを特徴とするものである。
【００１６】
第２に本発明は第１の本発明において、レバーがレールに回動軸を介して回動自在に軸着され、前記回動軸に第１のコイルバネを巻装するとともに前記第１のコイルバネにより前記レバーが常時は閉方向に付勢されていることを特徴とするものである。
【００１７】
第３に本発明は第１の本発明において、レールの両側板で、かつ内向端近傍に掛止軸が取付けられ、前記掛止軸に第２のコイルバネを巻装するとともに前記第２のコイルバネの一端を第２係止部の位置より延出するとともに山形に折り曲げることを特徴とするものである。
【００１８】
第４に本発明は第１の本発明において、レールの両側板がレール下面板から直角に折り曲げられ、しかも前記両側板の両端を各々外向に折り曲げてネジ挿通孔を有する取付片が設けられたことを特徴とするものである。
【００１９】
第５に本発明は第１の本発明において、レールの両端に第１および第２の防御片を設けたことを特徴とするものである。
【００２０】
第６に本発明は第５の本発明において、第１の防御片が両側板から内向に折り曲げられ、第２の防御片が下面板から上向きに折り曲げられて形成されたことを特徴とするものである。
【発明の効果】
【００２１】
第１の本発明によれば、起立状態の支持脚を伏倒させる場合、図５で示すように片手でレバーの押え板を押し、他方の手で支持脚を折りたたみ方向に回動、つまりレバーと支持脚とを逆方向に回動させることができ、前記課題の欄で説明したように非常に容易に折りたたみ作業をすることができる。
【００２２】
またレバーの凸弧部は図４で示すように間隔をおいた２ケ所になるので、従来例よりも１ケ当りの肉厚を薄板で形成することができ（図６（ｂ）参照）、プレス加工により各凸弧部の周縁を水平に形成することができ（試作段階で確認済み）、いわゆる線接触となり、レバーおよび支杆頂部ともに摩耗しにくく、経年使用によっても支杆摺動時にガタを生じることがなく、しかもプレス加工が可能であるのでレバーを容易かつ安価に製造することができる。
【００２３】
さらに断面コ字状のレールに断面コ字状のレバーを外嵌するので、間隔をおいた1対の２重板、合計４枚で支杆頂部を係止することになり、経年使用によっても耐久性は大きいものとなる。
【００２４】
第２の本発明によれば、第１の本発明の効果に加え、コイルバネによりレバーが常時閉方向に付勢され、支持脚は確実に起立状態を保持することができる。
【００２５】
第３の本発明によれば、第１の本発明の効果に加え、極めて容易かつ安価な手段で、伏倒時の支杆を第２係止部とコイルバネの山型部で前後から係止することができ、支持脚の伏倒状態を確実に維持することができる。
【００２６】
第４の発明によれば、第１の本発明の効果に加え、プレスによる折り曲げ加工で一体に取付片を容易かつ安価に製造することができる。
【００２７】
第５の発明によれば、第１の本発明の効果に加え、使用現場での使用者が起倒作業中に本ロック装置の前後から指を挾んだり、異物が混入するおそれがなくなる。
【００２８】
第６の発明によれば、第５の発明に加え、プレス加工により折り曲げ加工で一体に第１、第２の防御片を形成することができ、容易、迅速かつ安価に製造することができる。
【発明を実施するための最良の形態】
【００２９】
図１および２で示すロック装置はレール４とレバー６とからなり、いずれも肉厚１.５mm〜２.５mmの薄鋼板製である。
【００３０】
レール４は図１、図２で示すように細長板よりなる下面板４６の長手両縁を直角に折り曲げて断面コ字状に形成し、両側板４０、４０の各両端近傍を外向きかつ直角に折り曲げて取付片４１、４１、４２、４２を形成し、各取付片４１、４２にネジ挿通孔４３、４３・・・・を穿設する。
【００３１】
下面板４６の内向端を上向きかつ直角に折り曲げて第２の防御片４５を形成し、両側板４０、４０の各外向端を内向きかつ直角に折り曲げて第１の防御片４４、４４を形成する。
【００３２】
両側板４０、４０の各内方にピン９１を取付け、各ピン９１に第２のコイルバネ９を巻装し、コイルバネ９の一端を第２の防御片４５に当接するとともに他端を凸弧状にして山型部９０を形成し、常時は山型部９０の頂部が後述する通過路３内に突出し、裾部９３が両側板４０、４０の上端より下方に位置するように付勢する。
【００３３】
各側板４０の両端近傍に略半円状の第１係止部５、第２係止部５´をそれぞれ凹設し、各第１係止部５のさらに外方に挿通孔４７を穿設する。
【００３４】
レバー６の下面板６３の長手両端を上向きかつ直角に折り曲げて両側板６０を形成する。また下面板６３の外端を略水平に延出してドーナツ型の押え片６４を形成し、この押え板６４をプラスチック６４´で被蔽する。
【００３５】
図１、３で示すように各側板６０の全体を略山型に形成し、上縁部６０ａの各内向端から後述する支杆頂部２により排除されていく斜縁を凸弧状にして凸弧部６１を形成する。前記凸部６１の頂上から下向きに連続するとともに第１の係止部５に対応する位置に略半円状の嵌入溝６２を凹設する。
【００３６】
各嵌入溝６２の上端部から水平状の頂上を連設するとともに押え片６４の付け根近傍に向けて下り斜辺６５を形成する。
【００３７】
各下り斜辺６５の近傍に回動軸７用の挿通孔を穿設する。
【００３８】
断面コ字状のレール４の後方に断面コ字状のレバー６を外嵌し、回動軸７を各挿通孔に挿通して両側板６０、４０に掛渡し、各軸端７´を各側板４０に軸着し、レバー６を回動軸７を中心に回動可能にする。
【００３９】
回動軸７に第１のコイルバネ８を巻装し、コイルバネ８の端方を第１の防御片側に延出し、他端を下面板４６に当接してレバー６を常時は閉方向に付勢する。
【００４０】
次に前記ロック装置の天板１への取り付け法を説明すれば、鋼丸棒をハンガー状にして支杆２０を形成し、しかも支杆頂部２を図４仮想線で示すように平面視コ字状にして両側板４０、４０上に置き、各ネジ挿通孔４３に図５で示す木ネジ４３ａを挿通するとともにテーブルの天板１に螺着する。
【００４１】
一方、天板１裏面の両端近傍に、略コ字状に形成したキャップ付きの支持脚１１、１１を軸受１２若しくは図示を省略した蝶番により回動自在に取り付ける。そして支杆２０両端２１、２１を支持脚１１、１１に回動自在に軸着する。
【００４２】
次に一実施の形態としての本テーブル脚の使用法および作用を説明すれば、図５で示す伏倒の支持脚１１を片手で握り、反時計方向に回動すると支杆頂部２が天板１の裏面に沿って摺動を開始し、図３で示す第２のコイルバネ９のバネ圧に抗して山型部９０を仮想状態位置にして乗り越える。この後、第２のコイルバネ９はその復元力により山型部９０を実線位置に復位させる。さらに支杆頂部２は天板１裏面と両側板４０、４０間に形成された通過路３を摺動し続けた後、図１・３で示すように凸弧部６１のバネ圧に抗して凸弧部６１を仮想線で示すように通過路３外に排除し、凸弧部６１の頂上に達する。
【００４３】
この凸弧部６１の頂上を過ぎると第１のコイルバネ８の復元力によりレバー６は実線位置に復位し、支杆頂部２は嵌入溝６２に外嵌され、図５で示す支持脚１１が起立する。
【００４４】
次に起立している支持脚１１の折りたたみ法および作用を説明すれば、片手の指１本で図５で示す押え片６４を押す。これによりレバー６は図３で示すように回動軸７を中心に反時計方向に回動し、嵌入溝６２が支杆頂部２から外れてロックを解除する。
【００４５】
この押え片６４を押す操作と同時に支持脚１１を他方の手で握り図５の時計方向に回動すれば、支杆頂部２は通過路３内を内方に向かって摺動し、しかもレバー６は第１のコイルバネ８の復元力により実線位置に復位する。
【００４６】
その後、支持脚１１を押し倒し続ければ、通過路３内に突出している山型部９０を通過路３外に排除し、第２係止部５´に係止され、また山型部９０はバネ圧により通過路３内に復位し、支持脚１１は完全に折りたたまれるとともに山型部９０により支杆頂部２は外方に向かって自然に動き出すことがない。
【００４７】
起立している支持脚１１の下りたたみ方向とレバー６の回動方向が逆になっているため作業がしやすいことは既述のとおりであり、その他の効果も前記効果の欄に記載したとおりである。
【図面の簡単な説明】
【００４８】
【図１】本発明のロック装置を下方から見た斜視図である。
【図２】同上の上方から見た斜視図である。
【図３】同上の一部切り欠き側面図である。
【図４】Ａ−Ａ断面図である。
【図５】本発明をテーブルに取付けた状態の斜視図である。
【図６】本発明例と従来例とのレバーの板厚差による対比模式図である。
【図７】従来例の一部を示す斜視図である。
【図８】従来例の作用を示す拡大断面図である。
【符号の説明】
【００４９】
１  天板
２  支杆頂部
３  通過路
４  レール
５  第１係止部
５´  第２係止部
６  レバー
７  回動軸
８  第１のコイルバネ
９  第２のコイルバネ
４０  側板
４１  取付片
４２  取付片
４３  ネジ挿通孔
４４  第１の防御片
４５  第２の防御片
４６  下面板
６０  側板
６１  凸弧部
６２  嵌入溝
６３  下面板
６４  押え片
９０  山型部
【図１】
0004778825.tif 000002
【図２】
0004778825.tif 000003
【図３】
0004778825.tif 000004
【図４】
0004778825.tif 000005
【図５】
0004778825.tif 000006
【図６】
0004778825.tif 000007
【図７】
0004778825.tif 000008
【図８】
0004778825.tif 000009